(57)【要約】【課題】少ない光源でも導光板の板面にも広範囲にわたって拡散する拡散光を生成することができ、しかも製造コストを抑えて大量生産可能な発光装置を提供する。【解決手段】光源２ａから導光板４ａの入射端部４ｆに照射された光が、当該導光板４ａの板厚内を反射しながら透過する透過光の一部が凹部４ｃ１で反射して板厚方向に重なり合う凸部４ｇ１側に導光され、当該凸部４ｇ１から反射光が拡散される。【選択図】図１０
2014032800.tif 000002
【特許請求の範囲】
【請求項１】
透光性を有し板状に形成された導光板と、
前記導光板の入射端部に臨んで配置される単数又は複数の光源と、を備え、
前記導光板には、板厚方向に対向する一方の板面に凹部を有する凹部パターンが形成され他方の板面に凸部を有する凸部パターンが形成され、前記凹部と凸部とが互いに板厚方向に重なり合う位置であって前記導光板の少なくともいずれかの板面に対して全面若しくは部分的に形成されており、
前記光源から前記導光板の入射端部に照射された光が、当該導光板の板厚内を反射しながら透過する透過光の一部が前記凹部で反射して板厚方向に重なり合う前記凸部側に導光され、当該凸部から反射光が拡散されることを特徴とする発光装置。
【請求項２】
前記一方の板面に前記凹部を有する凹部パターンに加えて前記凸部を有する凸部パターンが混在して形成され、前記他方の板面に前記凸部を有する凸部パターンに加えて前記凹部を有する凹部パターンが混在して形成されており、前記両板面に形成された凹部と凸部とが板厚方向に互いに重なり合うように各々形成されている請求項１記載の発光装置。
【請求項３】
前記導光板の前記入射端部に照射された光によって発光可能な発光端部には、当該導光板を板厚方向に延設した透光性を有する周壁部が前記導光板と一体に又は別体として設けられており、前記凸部に導かれた反射光が前記周壁部を介して拡散される請求項１又は請求項２記載の発光装置。
【請求項４】
前記周壁部の外面又は内面のいずれか一方にはレンズ部が形成されており、当該レンズ部は前記導光板の板厚方向に延設された突条に形成され、突条どうしが周方向に隣接して形成されている請求項３記載の発光装置。
【請求項５】
前記凸部パターンには板面からの高さが異なる複数の前記凸部が形成されている請求項１乃至請求項４のいずれか１項記載の発光装置。
【請求項６】
前記導光板の前記入射端部に照射された光によって発光可能な発光端部が形成され、
前記凸部パターンの各凸部は、前記入射端部側から前記発光端部側に向って前記凸部の高さが漸次低くなるように配置されている請求項１乃至請求項５のいずれか１項記載の発光装置。
【請求項７】
前記導光板の前記凸部が設けられた板面と向かい合う遮光部又は反射部が設けられ、前記遮光部又は反射部は、前記導光板の板面を覆う高さに設けられている請求項１乃至請求項６のいずれか１項記載の発光装置。
【発明の詳細な説明】
【技術分野】
【０００１】
本発明は、導光板を立体的に配設した発光装置に関する。
【背景技術】
【０００２】
近年、省電力で長寿命化が可能な照明装置としてＬＥＤ（発光ダイオード）を光源とする照明装置が開発されている。
特に拡散光を作り出すことで視認する方向によって光の強度分布を改善するようにした照明装置が提案されている。
【０００３】
例えば、上下方向及び左右方向で各々Ｕ字状（二股状）に分岐した導光板どうしを十字に組み合わせた導光部に対して光源部より、各導光板の下面部より上面部に向って光を透過させて、各導光板の両面にマトリクス状に形成された凹状パターンの各凹部で拡散光を発生させて光の強度分布を改善した照明装置が提案されている（特許文献１参照）。
或いは、大型の導光用基板に対してマトリクス配置された加工ドットにより超音波加工されて凹パターンが両面に形成された照明装置が提案されている（特許文献２参照）
【先行技術文献】
【特許文献】
【０００４】
【特許文献１】特許第４５５１９７４号公報
【特許文献２】特開２０１０−２７２４８３号公報
【発明の概要】
【発明が解決しようとする課題】
【０００５】
上述した特許文献１，２には、拡散光を導出する凹状のパターン、凸状のパターン又は凹状及び凸状のパターンが少なくとも１面以上に形成された導光板が提案されています。尚、特許文献１では、凸状のパターンと記載されているが、図面では、凹状のパターンのみが開示されているにすぎない。
【０００６】
特許文献１では、導光板の下面部から入射した光をＵ字状に分岐した端部で両側に反射させてから凹パターンが形成された主面間を二手に分かれて透過する光を凹部にて乱反射させて拡散光を形成するようになっています。即ち、導光板を透過する透過光の光量が少なく、反射光の一部は拡散光として照射される。導光板どうしは十字状に交差して組付けられることから、凹部にて乱反射した光が９０度で交差配置された他の凹部から乱反射した光と重畳して輝度を稼ぐようになっている。よって、基板上に導光板の下面部に向けて光源を数多く配置して光量を稼ぐ必要があるうえに、導光板の分岐部の多さに対応して光源の数を増やす必要があるため、装置コストが嵩み易い。
【０００７】
また、導光板は中央部でＵ字状に分岐するほかにその両側でもＵ字状に分岐している異形状をしており、導光板の加工に工数がかかるうえに歩留まりも低下する。
特に、特許文献２のように、導光板の表面に超音波加工用ホーンを押し当てて超音波加工を施す場合には、加工装置が大がかりになり、製造コストが嵩むうえに小型の導光板は製造し難い。
【０００８】
本発明の目的は、上記従来技術の課題を解決し、少ない光源でも導光板の入射端部に照射された光で導光板の広範囲にわたって拡散する拡散光を生成することができ、しかも製造コストを抑えて大量生産可能な発光装置を提供することにある。
【課題を解決するための手段】
【０００９】
本発明に係る発光装置は上記目的を達成するため、次の構成を備えることを特徴とする。即ち、発光装置は、透光性を有し板状に形成された導光板と、前記導光板の入射端部に臨んで配置される単数又は複数の光源と、を備え、前記導光板には、板厚方向に対向する一方の板面に凹部を有する凹部パターンが形成され他方の板面に凸部を有する凸部パターンが形成され、前記凹部と凸部とが互いに板厚方向に重なり合う位置であって前記導光板の少なくともいずれかの板面に対して全面若しくは部分的に形成されており、前記光源から前記導光板の入射端部に照射された光が、当該導光板の板厚内を反射しながら透過する透過光の一部が前記凹部で反射して板厚方向に重なり合う前記凸部側に導光され、当該凸部から反射光が拡散されることを特徴とする。
【００１０】
上述した発光装置を用いれば、光源から導光板の入射端部に照射された光が、当該導光板の板厚内を反射しながら透過する透過光の一部が凹部で反射して板厚方向に重なり合う凸部側に導光され、当該凸部を効果的に発光させることができる。このように、凸部が設けられた板面からも反射光が拡散されるので、少ない光源でも導光板の入射端部に照射された光で導光板の広範囲にわたって拡散する拡散光を生成することができ、効率よく導光板を発光させることができる。また、板厚方向に凹部と凸部とを重なり合うように配置形成するという簡単な構造であるため、製造コストを抑えて大量生産可能である。
【００１１】
また、導光板において、一方の板面に凹部を有する凹部パターンに加えて凸部を有する凸部パターンが混在して形成され、他方の板面に凸部を有する凸部パターンに加えて凹部を有する凹部パターンが混在して形成されており、両板面に形成された凹部と凸部とが板厚方向に互いに重なり合うように各々形成されていると、導光板の両板面に形成された凸部から反射光が拡散し、導光板全体が一つの大きな光源であるかのように発光させることができる。
【００１２】
また、導光板の入射端部に照射された光によって発光可能な発光端部には、当該導光板を板厚方向に延設した透光性を有する周壁部が前記導光板と一体に又は別体として設けられており、凸部に導かれた反射光が周壁部を介して拡散されることが好ましい。
これにより、光源から入射端部を介して導光板に入射され発光端部に向って透過する透過光のほかに凸部に導かれた反射光が当該凸部を間接光源として周壁部を広範囲にわたって発光（拡散）できる。すなわち、拡散光の照射範囲が導光板の板厚方向に広がるので、周壁部を少ない光源で効率よく面発光させることができる。
【００１３】
また、周壁部の外面又は内面のいずれか一方にはレンズ部が形成されていると、導光板内を透過して発光端部より照射される透過光や凸部からの反射光をレンズ部で更に拡散させて、導光板の発光端部側より照射される拡散光の照射範囲を板厚方向に更に広げることができる。
【００１４】
また、周壁部のレンズ部は導光板の板厚方向に延設された突条に形成され、突条どうしが周方向に隣接して形成されていると、導光板と共に周壁部を一体成形する場合には、導光板の凹部と凸部の延出方向と一致するので、成形品の金型からの離型が容易になり、製造コストも低減することができる。
【００１５】
また、凸部パターンには板面からの高さが異なる複数の凸部が形成されていると、間接光源となる凸部が板厚方向に広く配置されるので、導光板の発光端部を板厚方向に延設した周壁部全体を均一に発光させることができる。
【００１６】
また、凸部パターンの各凸部は、入射端部側から発光端部に向って凸部の高さが漸次低くなるように配置されていると、導光板を発光端部側より見て板厚方向に周壁部全体を発光させることができる。
【００１７】
また、凹部パターンの各凹部は、前記導光板の板厚に対して半分以下の深さで形成されていると、光源より導光板の入射端部に照射された入射光が発光端部に向けて透過する透過光と凹部において凸部に向って反射する反射光が各々形成され、発光端部より発光する光の強度を低下させずにしかも凹部及び凸部の反射面も各々発光するので、導光板の板面から広範囲にわたって拡散する拡散光を生成することができる。
【００１８】
また、他方（一方）の板面を含む平面上の凸部の断面積は、一方（他方）の板面を含む平面上の凹部の開口面積より大きくなるように形成されていると、光源から導光板の入射端部に照射された光が、当該導光板の板厚内を透過し凹部で反射された透過光が凸部側に導光される光量が増えるので、導光板の板面より拡散する拡散光を増やして照射範囲を導光板の板厚方向に広げることができる。
【００１９】
また、導光板の凸部が設けられた板面と向かい合う遮光部又は反射部が設けられていると、凸部から照射された拡散光が遮光部で遮られ又は反射部で反射することにより、導光板の入射端部を囲んで形成された発光端部のみから発光させて方向性を持たせることができ、或いは凸部から照射される拡散光を周壁部まで広範囲に発光させることができる。
【００２０】
また、遮光部又は反射部は、導光板の板面を覆う高さに設けられていると、遮光部又は反射部を周壁部の端面若しくは内周面と位置合わせして発光装置の組み立てが容易に行える。
【発明の効果】
【００２１】
本発明に係る発光装置によれば、少ない光源でも導光板の入射端部に照射された光で導光板の広範囲にわたって拡散する拡散光を生成することができ、しかも製造コストを抑えて大量生産可能な発光装置を提供することができる。
【図面の簡単な説明】
【００２２】
【図１】発光装置の正面図、平面図、左側面図及び底面図である。
【図２】図１の発光装置の斜め上方及び斜め下方からの斜視図である。
【図３】図１の発光装置の斜め上方からの分解斜視図である。
【図４】図１の発光装置の斜め下方からの分解斜視図である。
【図５】図１（ａ）のＡ−Ａ切断線における発光装置の断面拡大図である。
【図６】図１の発光装置からアウターケース部を外した状態の斜め上方及び斜め下方からの斜視図並びに図５に対応した断面図である。
【図７】基板と導光部との関係を示した状態の斜め上方及び斜め下方からの斜視図並びに図５に対応した断面図である。
【図８】基板と遮光板との関係を示した状態の正面図、平面図、左側面図及び底面図である。
【図９】図８の状態における斜め上方及び斜め下方からの斜視図並びに図５に対応した断面図である。
【図１０】図１（ａ）のＡ−Ａ切断線における発光装置の端面拡大図である。
【図１１】基板と導光部との関係を示した状態の拡大正面図である。
【図１２】導光板の他の形態を示す部分説明図である。
【図１３】導光板の他の形態を示す部分説明図である。
【発明を実施するための形態】
【００２３】
以下、本発明の発光装置に係る好適な実施形態について、図面を参照しながら説明する。なお、本発明の発光装置は、以下の記述に限定されるものではなく、本発明の要旨を逸脱しない範囲において、適宜変更可能である。
【００２４】
先ず、本発明に係る発光装置の一例について図１乃至図９を参照しながら説明する。図１（ａ）〜（ｄ）に示す発光装置１は、図３及び図４の分解図に示すように、光照射する光源２ａを有した光源部２と、その光源部２に対応して配置され、光源２ａからの光を導光して反射、拡散することにより発光する導光部４と、その導光部４の板面を囲むように配置され、光源２ａの光を導光部４へと反射する反射部３と、導光部４及び反射部３の外面を覆うアウターケース部５とを具備している。発光装置１は、図１０及び図１１に示すように、導光部４の弦位置に配置された光源２ａが発光することで、導光部４の帯状で円弧状に湾曲形成された後述する周壁部４ｈ全体を発光させるものである。以下、発光装置１の各部の構成について順に説明する。
【００２５】
図３において、光源部２は、光源２ａ及び基板２ｂを備えている。光源２ａは、例えば白色で発光する発光ダイオード(ＬＥＤ：Ｌｉｇｈｔ Ｅｍｉｔｔｉｎｇ Ｄｉｏｄｅ)が用いられる。一例として、図３では、表面実装型の３個のＬＥＤが所定間隔を設けて直列に基板２ｂの一方の面に実装されている。尚、光源２ａの数は単数であってもよい。また、光源２ａは、白色、赤色、橙色、黄色、緑色、青色、藍色、又は紫色のいずれかの色若しくはそれらの色の組み合わせからなるＬＥＤで構成しても良い。なお、光源２ａは、ＬＥＤに限定されることはなく、例えば有機発光ダイオード、蛍光管、冷陰極管、又はネオン管を用いても良い。
【００２６】
また、基板２ｂは、例えば放熱性を有し軽量で一定の強度を有する金属基板（例えばアルミニウム基板、銅基板等）、セラミック基板、樹脂基板（例えばガラスエポキシ樹脂基板）、等様々な基板が用いられる。基板２ｂの他方の面には、図示しない給電部と接続する接続コードが接続される給電端子２ｃが設けられている。
【００２７】
導光部４は、図７（ａ）〜（ｃ）に示すように、透光性を有し板状に形成された導光板４ａを備えている。導光板４ａは、例えばアクリル樹脂板やメタクリル樹脂板から成り、射出成形により外形が例えば蒲鉾形状に形成されている。すなわち、導光板４ａは、直線状（弦状）に形成された入射端部４ｆと、入射端部４ｆに連続し円弧状に湾曲形成されると共に入射端部４ｆに照射された光によって発光可能な発光端部４ｇとを備えている。そして、導光板４ａの発光端部４ｇには、当該導光板４ａを板厚方向に延設した透光性を有する周壁部４ｈが導光板４ａと一体に設けられている。光源２ａから導光板４ａの入射端部４ｆより入射し後述する凸部４ｅ１に導かれた反射光が周壁部４ｈを介して拡散される。尚、導光板４ａには、防水、防汚、及び防塵等の機能を有した図示しない透明樹脂が被覆されていても良い。また、導光板４ａの発光端部４ｇには周壁部４ｈは必ずしも設けなくともよく、発光装置としての用途によって適宜選択することができる。
【００２８】
図５において、平板状の導光板４ａの板厚方向に対向する一方（例えば左側面若しくは右側面）の板面４ｂに複数の凹部４ｃ１を有する凹部パターン４ｃが形成され、他方（例えば右側面若しくは左側面）の板面４ｄに複数の凸部４ｅ１を有する凸部パターン４ｅが形成されている。凹部４ｃ１と凸部４ｅ１とが互いに板厚方向に重なり合う位置であって、導光板４ａの少なくとも一方の板面に全面若しくは部分的に形成されている。
【００２９】
本実施例では、一方の板面４ｂに凹部４ｃ１を有する凹部パターン４ｃに加えて凸部４ｅ１を有する凸部パターン４ｅが所定の配列又は散点状に混在して形成されている。また、他方の板面４ｄに凸部４ｅ１を有する凸部パターン４ｅに加えて凹部４ｃ１を有する凹部パターン４ｃが所定の配列又は散点状に混在して形成されている。これら両板面４ｂ，４ｄに形成された凹部４ｃ１と凸部４ｅ１とが板厚方向に互いに重なり合うように各々形成されている。具体的には板面４ｂと板面４ｄとで、半球状の凹部４ｃ１と先端が半球状に形成された円柱状の凸部４ｅ１が所定ピッチで交互に形成されている。尚、板面４ｂ，４ｄの各々に凹部パターン４ｃと凸部パターン４ｅを各々形成したが、例えば一方の板面４ｂに凹部パターン４ｃのみを形成し他方の板面４ｄに凸部パターン４ｅのみを形成しても良く、その逆の形態でもよい。なお、凹部４ｃ１及び円柱状の凸部４ｅ１の先端は、半球状に限らず三角錐状や四角錐状の多角形錐状などであってもよい。
【００３０】
光源２ａから導光板４ａの入射端部４ｆに照射された光が、当該導光板４ａの板厚内を反射しながら透過して発光端部４ｇより拡散されるほかに凹部４ｃ１で反射されて凸部４ｅ１側に導光され、当該凸部４ｅ１から反射光が拡散される（図１０参照）。光源２ａに臨んで配置される入射端部４ｆは、導光板４ａを基板２ｂと間隔を設けずに配置して光を効率よく入射させるため凹部に形成されている（図４参照）。また、導光板４ａの板厚内を透過する透過光が凹部４ｃ１で反射して導光された反射光が凸部４ｅ１において間接光源のように拡散光を発生させるため、導光板４ａの両板面４ｂ，４ｄ全体が発光して面発光している光源のように視認される。よって、導光板４ａの入射端部４ｆに連続して形成された発光端部４ｇのみならず板面４ｂ，４ｄからも発光させて少ない光源２ａで十分な明るさを有する拡散光を作り出すことができる。
【００３１】
上述した導光板４を用いれば、発光端部４ｇより照射される拡散光の照射範囲を導光板４の板厚方向に広げることができる。また、導光板４の入射端部４ｆを照射する光源２ａを設けるだけで、導光板４の板厚内を反射しながら透過する透過光のうち凹部４ｃ１で反射され凸部４ｅ１に導光された反射光が当該凸部４ｅ１を間接光源として拡散されることから、少ない光源で広範囲を照射する発光装置１を提供することができる。
【００３２】
また、凹部パターン４ｃの各凹部４ｃ１は、導光板４ａの板厚に対して半分以下の深さに形成されているのが好ましい。これにより、光源２ａより導光板４ａの入射端部４ｆから入射した光が発光端部４ｇに向けて透過する透過光と凹部４ｃ１において凸部４ｅ１に向って反射する反射光が各々形成され、発光端部４ｇより発光する光の強度を低下させずにしかも凹部４ｃ１及び凸部４ｅ１の反射面も各々発光するので、導光板４ａの板面４ｂ，４ｄに広範囲にわたって拡散する拡散光を生成することができる。
【００３３】
尚、導光板４ａの板厚方向に重なり合う一対の凸部４ｅ１と凹部４ｃ１との関係は、板面４ｂ（板面４ｂを含む平面）における凸部４ｅ１の断面積が、板面４ｄ（板面４ｄを含む平面）における凹部４ｃ１の開口面積と同等か凹部４ｃ１の開口面積の方が小さく形成されている。すなわち、板厚方向から見たときに、凸部４ｅ１の上記断面領域が、凹部４ｃ１の開口領域と同等に重なる（円形状で一致）、又は凹部４ｃ１の開口領域を含むように形成されている（図１２（ａ）、図１３（ａ）の他の形態も参照）。
【００３４】
また、図７（ａ）〜（ｃ）に示すように、導光板４ａには、光源２ａ側の入射端部４ｆを囲んで形成された発光端部４ｇ側を当該導光板４ａの板厚方向に延設した透光性を有する周壁部４ｈが形成されている。光源２ａから入射端部４ｆへ入射され凹部４ｃ１で反射して凸部４ｅ１に導かれた反射光が当該凸部４ｅ１を間接光源として発光し周壁部４ｈを通じて拡散される。この周壁部４ｈは、導光板４ａと別体に形成してもよいが、一体形成されていてもよい。
【００３５】
これにより、図１０に示すように光源２ａから入射端部４ｆを介して照射され発光端部４ｇから発光するほかに凸部４ｅ１に導かれた反射光が当該凸部４ｅ１を間接光源として発光し発光端部４ｇを板厚方向に延設した周壁部４ｈを通じて発光させるので、光源２ａから入射され導光板４ａの発光端部４ｇ側から発光する範囲を周壁部４ｈによって板厚方向に拡大し、図１１に示すように広い範囲の周壁部４ｈを均一に発光させることができる。
【００３６】
周壁部４ｈの外面（もしくは内面）には、レンズ部４ｉが形成されている。レンズ部４ｉは、導光板４ａの板厚方向に延設された半円柱状の突条が周方向に並ぶように連続して形成されている。これにより、導光板４ａと共に周壁部４ｈが一体成形されているので、成形品の金型からの離型が容易になり、製造コストも低減することができる。
尚、前述した反射部３の反射壁３ｃは、図６（ａ）〜（ｃ）に示すように導光板４の板面４ｂ，４ｄを覆い周壁部４ｈの両端部（若しくは内周面）に当接する高さに設けられている。これにより、発光装置１の組み立てが容易に行える。
【００３７】
反射部３は、図８（ａ）〜（ｄ）に示すように、矩形状の基板２ｂに重ね合わせて組み付ける底部３ｂと、この底部３ｂの短手方向両側に起立形成された一対の反射壁３ｃを備えている。反射部３は上方が開放された鉛直断面コ字状の遮光性を有する枠体（例えば色彩が付いた樹脂枠体、或いは金属枠体）が用いられる（図８（ｂ）（ｃ）参照）。反射壁３ｃの外形は、導光板４ａの外形に倣って例えば蒲鉾形状をしており、導光部４の外形と同等の大きさに形成されている（図８（ａ）参照）。一対の反射壁３ｃ及び底部３ｂに囲まれた空間部３ｄが導光部４の収納スペースとなる。また、図８（ｂ）に示すように、底部３ｂには、基板２ｂに当接する導光板４ａの周壁部４ｈや入射端部４ｆを逃がし光源２ａを露出させるスリット３ｅが設けられている（図７（ａ）参照）。図９（ａ）〜（ｃ）に示すように、基板２は、スリット３ｅに光源２ａが露出するように底部３ｂの下面側に重ねわせて一体に貼り合せ或いはねじ止めなどにより一体に組み付けられる。
【００３８】
アウターケース部５は外装容器であり、図２（ａ）（ｂ）に示すように、反射部３及び導光部４を収納するため、底部が開口した蒲鉾形状をしている。アウターケース部５の開口部５ａを基板２ｂで塞ぐように基板外周に嵌め込み、内部に反射部３及び導光部４が収納される。アウターケース部５は、光透過性樹脂材（例えば透明樹脂材）が好適に用いられる。尚、アウターケース部５の少なくとも周壁部４ｈを覆う外周部５ｂが光透過性を有すれば足り、反射壁３ｃに対向する平板部５ｃは透明でなくてもよい。
【００３９】
上述した発光装置１を組み立てる場合は、図３及び図４に示すように、基板２ｂを反射部３の底部３ｂに位置合わせして一体に組み付ける。具体的には光源２ａをスリット３ｅより露出させて組み付ける。
【００４０】
また、導光部４を反射部３に組み付ける。具体的には導光板４ａを一対の反射壁３ｃ間に形成された空間部３ｄに挿入し（図３参照）、導光板４ａの入射端部４ｆ及び周壁部４ｈの下端部を、スリット３ｅを通じて基板２ｂに重ね合わせる（図４参照）。このとき、導光板４ａは空間部３ｄに収納され、反射壁３ｃは周壁部４ｈの両端部と当接した状態にある（図６（ｃ）参照）。
【００４１】
最後にアウターケース部５を開口部５ａから周壁部４ｈ及び遮光板３ｃの外側を覆うようにかぶせて、基板２ｂによって開口部５ａを塞ぐように嵌め込んで一体に組み付けられる（図１及び図２参照）。
【００４２】
上述した発光装置１を用いれば、図１０及び図１１に示すように、光源２ａから導光板４ａの入射端部４ｆに入射した光が、当該導光板４ａの板厚内を反射しながら透過して発光端部４ｇより周壁部４ｈを介して発光するほかに凹部４ｃ１で反射されて凸部４ｇ１側に導光され当該凸部４ｇ１から反射光が周壁部４ｈを介して拡散するように発光するので、アウターケース部５（外周部５ｂ）を介して照射される拡散光の照射範囲を板厚方向及び周方向に広げることができ、周壁部４ｈを板厚方向及び周方向の全体で面発光させることができる。即ち、導光板４ａの入射端部４ｆを照射する第１の光源２ａの他に板厚内を透過する透過光のうち凸部４ｇで反射し拡散する拡散光が第２の光源（間接光源）となることから、光源２ａの指向性に対して広角となるだけでなく、少ない光源で広範囲を照射する発光装置１を提供することができる。具体的には、入射端部４ｆに連続する発光端部４ｇの接続部近傍（基板２ｂ近傍）の周壁部４ｈ部分をも発光させることができる。
【００４３】
また、図１０に示すように、導光板４ａの板厚内を透過する透過光が凹部４ｃ１で反射して導光された反射光が凸部４ｇ１において間接光源のような拡散光を発生させるため、導光板４ａの発光端部４ｇのみならず両板面４ｂ，４ｄからも面発光しているように視認される。よって、図１１に示すように基板２ｂに設けられた少ない光源２ａから導光板４の発光端部４ｇ（周壁部４ｈ）に向う透過方向及び両板面４ｂ，４ｄに形成された凸部４ｇ１から周壁部４ｈに向う拡散光が得られるため、導光板４ａの周壁部４ｈを広範囲にわたって均一に発光させることができる。
【００４４】
次に、導光部４の他例について図１２及び図１３を参照して説明する。
導光板４ａの板面４ｂ，４ｄに設けられる凸部パターン４ｅの形状は円柱状に限らず、図１２（ａ）に示すように円錐状（先細り状）に形成されていても良いし、或いは図１２（ｂ）に示すように角柱状に形成されていてもよい。また、凹部パターン４ｃの形状も、半球状に限らず三角錐状や四角錐状の多角錐状などであってもよい。
【００４５】
また、図１２（ａ）及び図１３（ａ）に示すように、導光板４ａの板面４ｂ，４ｄに形成された凹部パターン４ｃと凸部パターン４ｅにおいて、板厚方向に重なり合う一対の凹部４ｃ１，凸部４ｅ１は、凸部４ｅ１の断面積（Ｓ１）は、凹部４ｃ１の開口面積（Ｓ２）より大きくなるように形成されているのが好ましい。これにより、光源２ａから導光板４ａの入射端部４ｆに入射した光が、当該導光板４ａの板厚内を反射しなから透過し凹部４ｃ１で反射された反射光が凸部４ｅ１側に導光される光量が増えるので、導光板４ａの板面４ｂ，４ｄより拡散する拡散光を増やして周壁部４ｈを通じた照射範囲を導光板４の板厚方向に広げることができる。
【００４６】
また、図１３（ｂ）に示すように、導光板４ａに設けられる凸部パターン４ｅは板面４ｂ，４ｄからの高さが異なる複数の凸部４ｅ１が形成されていてもよい。これにより、間接光源となる凸部４ｅ１が板厚方向に広く配置されるので、導光板４ａの発光端部４ｇを板厚方向に延設した周壁部４ｈ全体を均一に発光させることができる。
【００４７】
また、図１３（ｃ）に示すように、板面４ｂ，４ｄに設けられる凸部パターン４ｅは、入射端部４ｆ側からこれとは離間した発光端部４ｇ側に向って高さが漸次低く（若しくは高く）なるように配置されていてもよい。これにより、図１３（ｃ）の発光端部４ｇの上方に周壁部４ｈが設けられると仮定して、間接光源となる凸部４ｅ１が板厚方向に等間隔で配置することができるので、周壁部４ｆ全体をより均一に発光させることができる。
【００４８】
なお、凸部パターン４ｅ（凹部パターン４ｃ）は、入射端部４ｆ側からこれとは離間した発光端部４ｇ側に向かって凸部４ｅ１（凹部４ｃ１）の密度（個数）が増えるように導光板４ａに形成されていてもよい。すなわち、入射端部４ｆ近傍では凸部４ｅ１（凹部４ｃ１）を少なくし、遠いほど凸部４ｅ１（凹部４ｃ１）を多くすることで、光源２ａからの光をより遠くまで導光させて（反射を少なくし）各凸部４ｅ１を効率よく発光させることができる。
【００４９】
図１２及び図１３を参照して導光部４の他例について説明したが、このように導光板４ａにおける凹部４ｃ１および凸部４ｅ１の形態を適宜変更することで、多種多様な発光装置１に対応した導光板４ａ（間接光源）を提供することができる。なお、導光板４ａにおいて周壁部４ｈを省略し、導光板４ａ自身を発光体として構成する発光装置１としてもよい。その場合には、各凹部４ｃ１および凸部４ｅ１が発光体の模様として機能するとともに、光源２ａからの光によって効果的に導光板４ａ全体を発光させることができる。
【００５０】
尚、上述した発光装置１は、導光板４ａの両側に反射壁３ｃを設けたが、遮光壁を設けてもよい。この場合には、凸部４ｅ１から照射された光が、遮光壁で遮光され周壁部４ｈ側のみから発光させるようにしてもよい。
また、導光板４ａの板面４ｂ，４ｄに設けられる凹部パターン４ｃを形成する凹部４ｃ１、凸部パターン４ｅを形成する凸部４ｅ１は、板面全面のみならず、部分的に設けても良いし、或いは粗密を設けた散点状に設けてもよい。
また、導光板４ａの板面４ｂ，４ｄに凸部パターン４ｅの他に反射率が変化する塗料、テープ、印刷等を行ってスポット的に拡散光を発生させるようにしてもよい。
【符号の説明】
【００５１】
１  発光装置
２  光源部
２ａ  光源
２ｂ  基板
２ｃ  給電端子
３  反射部
３ｂ  底部
３ｃ  反射壁
３ｄ  空間部
３ｅ  スリット
４  導光部
４ａ  導光板
４ｂ，４ｄ  板面
４ｃ  凹部パターン
４ｃ１  凹部
４ｅ  凸部パターン
４ｅ１  凸部
４ｆ  入射端部
４ｇ  発光端部
４ｈ  周壁部
４ｉ  レンズ部
５  アウターケース部
５ａ  開口部
５ｂ  外周部
５ｃ  平板部
【図１】
2014032800.tif 000003
【図２】
2014032800.tif 000004
【図３】
2014032800.tif 000005
【図４】
2014032800.tif 000006
【図５】
2014032800.tif 000007
【図６】
2014032800.tif 000008
【図７】
2014032800.tif 000009
【図８】
2014032800.tif 000010
【図９】
2014032800.tif 000011
【図１０】
2014032800.tif 000012
【図１１】
2014032800.tif 000013
【図１２】
2014032800.tif 000014
【図１３】
2014032800.tif 000015